(57)【要約】  ２つの乳房を有する着用者により着用されるように構成された衣類は、２つの支持構造の集合と、筐体と、を含んでいてもよい。支持構造は、この衣類が着用者によって着用された時に、各支持構造が着用者の乳房のうちの１つの中心と底部との間のある位置に対応するように筐体内に位置付けられてもよい。各支持構造は、着用者によって着用された時に、着用者のそれぞれの乳房のボリュームの一部を位置変更し、着用者のそれぞれの乳房の重さの一部を支持するように構成されてもよい。任意選択により、衣類は柔軟構造の集合を含んでいてもよく、これは、各柔軟構造が２つの支持構造の集合の支持構造の一方と一致するように筐体内に位置付けられる。筐体は、着用者の胸部の周囲に巻き付けられ、それによって着用者はこの衣類を着用することができる。
2016508550.tif 000002
【特許請求の範囲】
【請求項１】
２つの乳房を有する着用者により着用されるように構成された衣類において、
前記衣類が前記着用者によって着用された時に各支持構造が前記着用者の乳房の中心と最下部との間のある位置に対応するように筐体内に位置付けられる２つの支持構造の集合であって、各支持構造が、前記着用者によって着用された時に前記着用者のそれぞれの乳房のボリュームの一部を位置変更し、前記着用者のそれぞれの乳房の重さの一部を支持するように構成された支持構造の集合と、
前記支持構造の集合に連結された前記筐体であって、前記支持構造の集合を格納し、前記着用者の胸部の周囲に巻き付けられ、それによって前記着用者が前記衣類を着用することができるように構成された前記筐体と、
を含む衣類。
【請求項２】
前記支持構造の集合が、成形工程、切削工程、および穿孔工程の少なくとも１つを使って製造される、請求項１に記載の衣類。
【請求項３】
各支持構造が、前記衣類が前記着用者によって着用された時に前記着用者の乳房の前記重さの前記一部と対抗する力をかけるように構成される、請求項１に記載の衣類。
【請求項４】
各支持構造が、前記衣類が前記着用者によって着用された時に前記着用者の乳房の前記重さの前記一部と対抗する力をかけるように構成され、前記対抗する力が前記筐体とは独立してかけられる、請求項１に記載の衣類。
【請求項５】
各支持構造が、前記衣類が前記着用者によって着用された時に前記着用者の乳房の前記重さの前記一部を前記着用者の胴体に再分散させるように構成される、請求項１に記載の衣類。
【請求項６】
各支持構造が、前記筐体とは独立して自耐性を有する、請求項１に記載の衣類。
【請求項７】
各支持構造の一部が、前記衣類が前記着用者によって着用された時に前記着用者の胴体の平面から実質的に直交方向に延びるように構成される、請求項１に記載の衣類。
【請求項８】
各柔軟構造が前記２つの支持構造の集合の前記支持構造の一方と一致するように前記筐体内に位置付けられる柔軟構造の集合をさらに含む、請求項１に記載の衣類。
【請求項９】
各柔軟構造が前記２つの支持構造の集合の前記支持構造の一方と一致するように前記筐体内に位置付けられる柔軟構造の集合をさらに含み、前記各柔軟構造が、前記着用者の胴体のうち、前記衣類が前記着用者によって着用された時に前記着用者の乳房の下方に位置する部分と一致するように前記筐体内に位置付けられる下側延長部を有する、請求項１に記載の衣類。
【請求項１０】
各柔軟構造が前記２つの支持構造の集合の前記支持構造の一方と一致するように前記筐体内に位置付けられる柔軟構造の集合をさらに含み、前記各柔軟構造が、前記着用者の胴体のうち、前記衣類が前記着用者によって着用された時に前記着用者の乳房の下方に位置する部分と一致するように前記筐体内に位置付けられる下側延長部を有し、前記下側延長部の幅が、前記支持構造、前記柔軟構造、およびそれらの組み合わせのうちの少なくとも１つにより支持される前記重さの前記部分に比例する、請求項１に記載の衣類。
【請求項１１】
前記支持構造の各々が１つまたは複数の孔をさらに含む、請求項１に記載の衣類。
【請求項１２】
各支持構造が材料の複数の層を含む、請求項１に記載の衣類。
【請求項１３】
各支持構造に連結され、前記筐体内に位置付けられる柔軟材料の層をさらに含み、前記柔軟材料の層が、前記着用者により着用された時に前記着用者の乳房の形状に適合し、前記着用者の前記重さの一部を支持するように構成される、請求項１に記載の衣類。
【請求項１４】
前記支持構造が、
帯状部であって、内側延長部と外側延長部との間に延び、これらに連結され、前記衣類が前記着用者によって着用された時に前記着用者の乳房の中心と最下部との間のある位置に対応し、前記着用者の正中線に実質的に垂直な方向に延びるように構成された帯状部と、
前記内側延長部であって、前記着用者によって着用された時に前記着用者の正中線に、またはその付近に位置付けられ、前記帯状部の上、前記帯上部の下、前記帯状部の上下のうちの少なくとも１つに、前記着用者の正中線に実質的に平行で縦方向に延びる前記内側延長部と、
前記着用者によって着用された時に前記帯状部の上、前記帯状部の下、前記帯状部の上下のうちの少なくとも１つに、前記着用者の側部に実質的に平行で縦方向に延びる前記外側延長部と、
をさらに含む、請求項１に記載の衣類。
【請求項１５】
前記筐体が、
１つまたは複数の装飾物に取り外し可能に取り付けられるように構成された複数の取付機構
をさらに含む、請求項１に記載の衣類。
【請求項１６】
前記支持構造の各々が、
側部延長部であって、前記衣類が前記着用者によって着用された時に前記着用者の側部に対応するように構成された側部延長部
をさらに含む、請求項１に記載の衣類。
【請求項１７】
２つの乳房を有する着用者により着用されるように構成された衣類において、
前記衣類が前記着用者によって着用された時に第一の柔軟構造が前記着用者の第一の乳房の中心と最下部との間に延びるある位置に対応し、前記衣類が前記着用者によって着用された時に第二の柔軟構造が前記着用者の第二の乳房の中心と最下部との間に延びるある位置に対応するように筐体内に位置付けられた柔軟構造の集合であって、各柔軟構造が、前記着用者によって着用された時に前記着用者のそれぞれの乳房のボリュームの一部を位置変更し、前記着用者のそれぞれの乳房の重さの一部を支持するように構成された柔軟構造の集合と、
前記柔軟構造の集合に連結された前記筐体であって、前記柔軟構造の集合を格納し、前記着用者の胸部の周囲に巻き付けられ、それによって前記着用者が前記衣類を着用することができるように構成された前記筐体と
を含む衣類。
【発明の詳細な説明】
【技術分野】
【０００１】
関連出願の相互参照
本願は、参照によって本願に援用する２０１３年１月２５日に出願された米国特許出願第６１／７５６，９８９号明細書の通常出願である。
【０００２】
本発明は、服飾分野に関し、より具体的には、サポート機能付きビュスチェ型衣類に関する。サポート機能付きビュスチェ型衣類は、着用者により着用された時に、着用者のそれぞれの乳房のボリュームの一部を位置変更し、着用者のそれぞれの乳房の重さの一部を支持するように構成されていてもよい。
【背景技術】
【０００３】
ブラジャは、乳房の持ち上げと整形のために約１００年間にわたって使用されてきた。ブラジャ（および、アンダーワイヤ入り水着トップス等、その他の関連する衣類）は一般に、各乳房のための丸みのある筐体を作る役割を果たす２本のＵ字形の金属製構成部品、すなわち「アンダーワイヤ」を使って製造される。アンダーワイヤはまた、ファッショナブルなシルエットに従って均一な形状を創出する役割も果たす。アンダーワイヤは従来、平坦なＵ字形であり、着用者の肋骨の湾曲した寸法に適合しない。それゆえ、アンダーワイヤ入りブラジャはその従来の形態において、ワイヤの端の位置で突いたり擦れたりする領域（乳房間や腋窩領域）のほか、アンダーワイヤの最も低い地点において、アンダーワイヤが肋骨に食い込む締め付け領域（乳房最下部、乳頭直下）ができる。乳房が大きいほど、これらの圧迫点が顕著となる傾向がある。アンダーワイヤを所定の位置に保持する役割を果たす縫い目や布製枠によって、ワイヤによる皮膚と肋骨の締め付けと擦れがさらに増大する可能性がある。
【０００４】
従来のブラジャのアンダーワイヤ枠は一般に、３本のストラップに取り付けられる。主要背ストラップは肋骨の周囲に横方向に取り付けられ、ほとんどの場合、脊椎付近の背側で固定される。２本の肩ストラップは、前側でアンダーワイヤ枠に、背側で横方向のストラップに取り付けられる。２本の肩ストラップは僧帽筋の膨らみを通って延び、首と肩のこれらの筋肉（主として僧帽筋と肩甲挙筋）を支点として乳房の重さを支持する。このようにして、持ち上げられた乳房の力が有効に首と肩から下垂する。
【０００５】
典型的なブラジャの構成において、特により大きな乳房の着用者の場合、３本のストラップのすべてが着用者にとって不快の原因となることが一般的である。乳房組織の負荷を支持するために、従来の肩ストラップは僧帽筋を押し下げ、それによって強制的に頭が前方に突き出て、脊椎が適正な姿勢アラインメントからずれる。このミスアラインメントはしばしば、従来のブラの着用に直接関連する頭、首、肩の懲りの原因となる。僧帽筋に対するこのような圧力は、ブラジャの着用者の肩によく残っている表面凹みとして目に見えるようになる。さらに、これらの凹みは、長年にわたってブラジャを着用し続けると消えなくなることが多い。この影響はまた、ブラジャを着用する大きな乳房の女性が前かがみの、または湾曲した脊椎姿勢であることにも見ることができる。
【０００６】
これに加えて、肩ストラップからの圧力の一部を解消するために十分にきつく主要背ストラップを胴体にフィットさせると、今度は体に対するアンダーワイヤ枠の圧力（および枠に関する擦れと締め付け）が増す。肩ストラップが完全に取り払われたブラジャ（すなわち、「ストラップレス」ブラジャ）の場合、この衣類は一般に、時間がたつと胴体からずり落ち、その所期の位置からずれ、乳房の形状が平坦化し、審美的に不快な結果を招く。その結果、着用者は衣類を頻繁に所定の位置に引き上げざるを得ず、その下着の状態を他人から見えないままにしようとする着用者の意図が挫かれる。（例えば、花嫁が着ているストラップレスドレスとストラップレスブラジャが結婚式の最中にずり落ち始めることを想像されたい。上品さを保ち、恥ずかしい思いをしないようにするために、花嫁は下着を所定の位置へと引き上げるほかなく、それによって花嫁に注目している人々のうちの誰かにその下着のずり落ちの状態が知られてしまう。）
【０００７】
これに加えて、乳房のすぐ下に剛性の領域または厚い縫い目を有する、アンダーワイヤの代用品の入ったブラジャは、それによって、着用者が座ったり、それ以外に腰を曲げたりすると腹腔最上部に圧力が加わるため、快適な代替品を提供できない。
【発明の概要】
【発明が解決しようとする課題】
【０００８】
要約すると、ブラの従来の構成では、本来的に皮膚の擦過、擦れ、突き、締め付け、着用者の筋肉の懲りや痛み、上側腹腔の圧迫または圧搾に関連付けられる具体的な設計上の特徴群をもたらす。
【課題を解決するための手段】
【０００９】
本明細書では、２つの乳房を有する着用者が着用するサポート機能付きビュスチェ型衣類が説明される。サポート機能付きビュスチェ型衣類は、２つの支持構造の集合と、筐体と、を含んでいてもよい。支持構造は、その衣類が着用者によって着用された時に各支持構造が着用者の乳房の中心と最下部との間のある位置に対応するように筐体内に位置付けられてもよい。ある場合には、筐体は、ストラップまたはキャミソール等の１つまたは複数の装飾物に取り外し可能に取り付けられるように構成された１つまたは複数の取付機構（例えば、スナップ式、張力式および／または磁石式開閉具）を含んでいてもよい。
【００１０】
支持構造は女性の乳房の形状に近似するように湾曲していてもよい。支持構造の各々は、その衣類が着用者によって着用された時に着用者の乳房の一方のボリュームの一部を位置変更する（例えば、乳房組織を乳房の外側から着用者の正中線に向かって押し、または乳房組織の一部を当初の位置から、使用者の腰に関して測定した場合により高い位置へと持ち上げる）ように構成されてもよい。言い換えれば、各支持構造は着用者のそれぞれ１つの乳房のボリュームを位置変更する。支持構造はまた、着用者の乳房を整形する役割も果たしてもよい。支持構造は、例えば成形工程、切削工程、および／または穿孔工程を使って製造されてもよい。支持構造は、１種の材料から作製されても、複数の層の材料を含んでいてもよい。
【００１１】
支持構造の各々はまた、着用者によって着用された時に着用者の乳房の各々の重さの一部を支持するように構成されてもよい。言い換えれば、各支持構造は着用者の乳房の異なる１つの重さの一部を支持する。時として、支持構造は、その衣類が着用者により着用された時に、着用者の胴体の平面から直交方向に延びるように構成されてもよい。支持構造は、筐体とは独立して自耐性を有していてもよい。言い換えれば、支持構造は、着用されていない時であっても筐体とは独立してその形状を保つことができる。
【００１２】
支持構造は、その衣類が着用者によって着用された時に着用者の乳房の重さの一部に対抗する力をかけるように構成されてもよい。例えば、支持構造は、着用者の乳房に大きさは実質的に同じで、方向が実質的に反対の力を付加するように構成されてもよく、それによって着用者の乳房の重さが支持され、安定する。時として、この力は筐体とは独立して着用者の乳房に付加されてもよい。
【００１３】
いくつかの実施形態において、各支持構造は、その衣類が着用者により着用された時に着用者の乳房の重さの一部を着用者の胴体に再分散させるように構成されてもよい。
【００１４】
いくつかの実施形態において、支持構造は１つまたは複数の孔を含んでいてもよい。孔は何れの大きさでもよく、また支持構造がその構造的完全性を保つかぎり、支持構造内のどこに位置付けられてもよい。
【００１５】
この衣類の筐体は、支持構造の集合に連結されて、支持構造の集合を格納して、着用者の胸部の周囲に巻き付けられて、着用者がこの衣類を着用できるように構成されてもよい。筐体は、例えば布、プラスチック、伸縮素材、ファスナ、開閉機構、またはこれらの何れかの組み合わせから製造されてもよい。ある場合には、筐体は装飾的特徴（例えば、色、パターン印刷、細部装飾の付与、その他）を含んでいてもよい。
【００１６】
いくつかの実施形態において、この衣類は、筐体内に位置付けられた柔軟構造の集合を含んでいてもよく、それによって各柔軟構造は２つの支持構造の集合の支持構造の一方と同じ場所にあってもよい。ある場合には、柔軟構造の各々は下側延長部を有し、これは、この衣類が着用者によって着用された時に着用者の胴体のうち、着用者の乳房より下の部分と一致するように筐体内に位置付けられる。１つの実施形態において、柔軟構造の下側延長部は相互に連結されていてもよく、これによって使用者の両乳房の下方に柔軟構造の連続する帯を形成する。この実施形態において、連結された柔軟構造が着用者の胴体の両側部および／または着用者の背の周囲に延びてもよい。他の実施形態において、下側延長部の幅は、重さのうち、支持構造、柔軟構造、およびこれらの組み合わせのうちの少なくとも１つによって支持される部分に比例する。例えば、支持構造と柔軟構造によって支持される重さの量が比較的大きい時、下側延長部の幅は支持される重さに比例して比較的大きくてもよく、反対に、支持構造と柔軟構造により支持される重さの量が比較的小さい時は、下側延長部の幅は支持される重さに比例して比較的小さくてもよい。
【００１７】
また別の実施形態において、この衣類は、各支持構造に連結され、筐体内に位置付けられた１層の柔軟材料を含んでいてもよい。柔軟材料の層は、着用者によって着用された時に着用者の乳房の形状に適合し、着用者の乳房の重さの一部を支持するように構成されてもよい。
【００１８】
別の実施形態において、支持構造の各々は帯状部と、内側延長部と、外側延長部と、を含んでいてもよい。帯状部は内側および外側延長部間に延び、それらに連結されてもよく、また着用者の乳房の中心と最下部との間のある位置に対応するように構成されてもよい。帯状部は、その衣類が着用者によって着用された時に着用者の正中線に実質的に垂直な方向に延びてもよい。このようにして、帯状部は着用者の乳房の一部に巻き付けられてもよい。
【００１９】
内側延長部は、着用者によって着用された時に、着用者の正中線に、またはその付近に位置付けられて、帯状部の上、下、および／または上下に着用者の正中線に実質的に平行な縦方向に延びてもよい。外側延長部は、着用者により着用された時に、帯状部の上、下、および／または上下において着用者の側部に実質的に平行な縦方向に延びてもよい。時として、内側延長部および／または外側延長部は、それぞれ着用者の内側または外側乳房の曲線の形状に近似するように延びてもよい。時として、支持構造の各々は、その衣類が着用者によって着用された時に着用者の側部に対応するように構成された側部延長部をさらに含んでいてもよい。この衣類が着用された時に、側部延長部は着用者の側部に巻き付けられてもよく、また、着用者がこの衣類を着用した時に乳房の重さの一部を着用者の側部に伝えることによって乳房の重さの一部を支持してもよい。
【００２０】
他の実施形態において、この衣類は筐体内に位置付けられた柔軟構造の集合を含み、それによって、この衣類が着用者により着用された時に各柔軟構造が着用者の乳房の中心と最下部との間に延びるある位置に対応する。各柔軟構造は、着用者により着用された時に、着用者の乳房のボリュームの一部を位置変更し、着用者のそれぞれの乳房の重さの一部を支持するように構成されてもよい。筐体は柔軟構造の集合に連結されてもよく、また、柔軟構造の集合を格納し、着用者の胸部に巻き付けられるように構成されてもよく、それによって着用者はこの衣類を着用できる。
【００２１】
本願は、限定ではなく例として、添付の図面の図に示されている。
【図面の簡単な説明】
【００２２】
【図１】本発明のいくつかの実施形態による例示的なサポート機能付きビュスチェ型衣類を示す。
【図２Ａ−２Ｂ】本発明のいくつかの実施形態による例示的なサポート機能付きビュスチェ型衣類１００の背面図を示す。
【図３】本発明のいくつかの実施形態によるサポート機能付きビュスチェ型衣類のための例示的な開閉具拡張手段を示す。
【図４】本発明のいくつかの実施形態によるサポート機能付きビュスチェ型衣類の例示的な構成部品を示す。
【図５Ａ−５Ｂ】本発明のいくつかの実施形態によるサポート機能付きビュスチェ型衣類の例示的な構成を示す。
【図６Ａ】本発明のいくつかの実施形態によるサポート機能付きビュスチェ型衣類のいくつかの構成部品の正面図を示す。
【図６Ｂ】本発明のいくつかの実施形態によるサポート機能付きビュスチェ型衣類のいくつかの構成部品の側面図を示す。
【図７Ａ−７Ｂ】本発明のいくつかの実施形態によるサポート機能付きビュスチェ型衣類のいくつかの構成部品の側面図を示す。
【図８Ａ−８Ｂ】本発明のいくつかの実施形態によるサポート機能付きビュスチェ型衣類の延長下側部を示す。
【図９】本発明のいくつかの実施形態による体型サポート機能付き衣類９００を示す。
【図１０Ａ−１０Ｂ】本発明のいくつかの実施形態によるサポート機能付きビュスチェ型衣類のための任意選択による装飾物の正面図と背面図を示す。
【発明を実施するための形態】
【００２３】
図面全体を通じて、特にことわりがないかぎり、図示された実施形態の同様の特徴、要素、支持構造または部分を示すのに同じ参照番号と文字が使用されている。さらに、ここで図面を参照しながら本発明を詳しく説明するが、説明は例示的な実施形態に関してなされる。付属の特許請求の範囲により定義される本発明の真の範囲と趣旨から逸脱することなく、説明されている実施形態に変更や改良を加えることができることが意図される。
【００２４】
本明細書において、着用者の乳房を支持するサポート機能付きビュスチェ型衣類について説明する。サポート機能付きビュスチェ型衣類（および、キャミソール、スリップ、水着等の関連するサポート機能付き衣類）は、乳房のボリュームを審美的に魅力的な形状へと導くこと、乳房と衣類の不要な移動を封じ込めること、自然で健全な身体姿勢を支持することを同時に行う。
【００２５】
サポート機能付きビュスチェ型衣類は、着用者の胸部の一部を取り囲み、これと適合する筐体を含む。筐体は、１つまたは複数の開閉／調節機構を含み、着用者がサポート機能付きビュスチェ型衣類を着て（すなわち、サポート機能付きビュスチェ型衣類を着用し）、サポート機能付きビュスチェ型衣類を脱ぎ（すなわち、サポート機能付きビュスチェ型衣類を取り外し）、および／またはサポート機能付きビュスチェ型衣類のフィット状態を調節できてもよい。例示的な開閉／調節機構は、スナップ、磁気開閉具、張力式開閉具、ホック開閉具、拡張可能材料（例えば、スパンデックスおよび／または伸縮素材）、結束機構を含む。
【００２６】
サポート機能付きビュスチェ型衣類は、筐体に取り付けられた１つまたは複数の支持構造をさらに含む。便宜上、以下の説明は、各乳房につき１つの、２つの支持構造について述べるが、これは本発明の範囲をいかようにも限定しないものとする。例えば、１つの支持構造が両方の乳房の重さを支持でき、または４つの支持構造（各側２つずつ）が各乳房を支持してもよい。
【００２７】
いくつかの実施形態において、サポート機能付きビュスチェ型衣類、支持構造および／または筐体の構成は部分的に使用者により構成可能であってもよい。例えば、筐体が着用者の胸部に適合する際のきつさは、例えば各種の開閉機構の使用または筐体もしくはサポート機能付きビュスチェ型衣類を製造するための材料の選択を通じて使用者により構成されてもよい。他の例において、筐体は複数の支持構造の取付を同時に、または別々に受け入れてもよい。例えば、第一の構造は比較的小さい乳房の重量の支持を提供してもよい。この第一の構造の支持は、筐体および／または第一の支持構造に同時に取り付けられた第二の支持構造の追加により補強されてもよく、第一と第二の支持構造の組み合わせが共同で第一の支持構造のみの場合より強い支持を提供するように作用してもよい。
【００２８】
いくつかの例において、支持構造は筐体に取り外し可能に取り付けられてもよく、それによって、時々（例えば、洗濯前または第一の支持構造を第二の支持構造と交換できるようにするために）、それを筐体から取り外すことができる。
【００２９】
サポート機能付きビュスチェ型衣類が２つの支持構造を含む場合、支持構造は相互に鏡面対称になるように同様に製造されてもよく、または非対称であってもよい。例えば、１つの支持構造を第一の大きさとしても、または第一の集合の寸法仕様を有するように製造してもよく、その一方で、第二の支持構造を第二の大きさとしても、または第二の集合の寸法仕様を有するように製造してもよい。このようにして、サポート機能付きビュスチェ型衣類は２つの異なる大きさの乳房または人工もしくは補綴乳房と自然の乳房を同時に支持してもよい。
【００３０】
支持構造は、着用者のそれぞれの乳房の各々の重さの一部を支持するような形状とされ、そのように位置付けられてもよい。例えば、支持構造は、着用者の乳房の下面と一致するように筐体内に位置付けられてもよく、それによって重さを支持する棚状部を形成し、その上にそれぞれの乳房の重さの一部が載る。
【００３１】
支持構造は、何れの容認可能な材料から製造されてもよく、これには例えば発泡材、伸縮素材、スパンデックス、布、合成エラストマ樹脂、可塑化剛性ＰＶＣ化合物、ポリオリフィン網状化合物、ポリオレフィン系網状化合物、樹脂、単泡性樹脂、エチレンビニルアセテート（ＥＶＡ）材料、ゴム、発泡ゴム、および／またはこれらの何れかの組み合わせが含まれる。いくつかの実施形態において、支持構造は、例えば同じまたは異なる材料の複数の層から構成されてもよい。層は何れかの次元において厚さが異なっていてもよい。いくつかの例において、支持構造および／または筐体は、滑り抵抗またはノンスリップ材料から製造されてもよい。他の実施形態において、支持構造および／または筐体は、吸収性材料（例えば綿）から製造されてもよい。
【００３２】
サポート機能付きビュスチェ型衣類１００は従来のアンダーワイヤ入りブラジャとは異なるが、これは、主要支持構造が乳房の下にないからである。その代わりに、サポート機能付きビュスチェ型衣類は乳房の重さに力を加えて、乳房の重さを支持し、乳房のボリュームの一部を位置変更する。さらに、サポート機能付きビュスチェ型衣類は、乳房のための安定した筐体を作り、乳房のボリュームをファッショナブルなシルエットに従って上方および前方に向け、通常の日常の運動中（例えば、立つ、座る、深呼吸する、または十分な食事をとる）に乳房とこの衣類の両方を所定の位置に保持するが、皮膚、肋骨、筋肉または乳房周辺のその他の組織に痛みが生じないようにする。サポート機能付きビュスチェ型衣類はまた、上着の下でその存在がわからないような平滑な衣類を提供する。さらに、サポート機能付きビュスチェ型衣類は、衣類の縁部の周辺の組織の不自然な塊、うねり、またはその他の圧縮を生じさせない。これに加えて、サポート機能付きビュスチェ型衣類は、首と肩の繊細な安定筋ではなく、着用者の「コア」の耐久筋（ｅｎｄｕｒａｎｃｅ  ｍｕｓｃｌｅ）により支持される乳房支持手段を提供する。
【００３３】
ここで、図１を参照すると、本発明のいくつかの実施形態による例示的なサポート機能付きビュスチェ型衣類１００が示されている。サポート機能付きビュスチェ型衣類１００は、１つもしくは２つの乳房または人工／補綴乳房を有する着用者１１０によって着用される。一般に、着用者１１０は着用者１１０の体の中心を通って縦に延びる正中線１１１の両側に１つずつの乳房を有する女性である。ある場合には、サポート機能付きビュスチェ型衣類１００は肩ストラップを含まなくてもよい（すなわち、ストラップレス）。また別の場合には、サポート機能付きビュスチェ型衣類１００は装飾的および／または機能的役割を果たすストラップを含んでいてもよい。サポート機能付きビュスチェ型衣類１００のための筐体１３０の外面が図１に示されている。筐体１３０はサポート機能付きビュスチェ型衣類１００の１つまたは複数の構成部品（図示せず、後述する）を内包し、または格納し、着用者１１０によるサポート機能付きビュスチェ型衣類１００の着用を容易にする役割を果たしてもよい。筐体１３０は何れの容認可能な材料から作製されてもよく、これには布、発泡材、伸縮素材、スパンデックス、ライクラ、ナイロン、ストラップ、開閉機構（例えば、留め具、ホック等）、およびこれらの何れかの組み合わせが含まれるが、これらに限定されない。筐体１３０は、サポート機能付きビュスチェ型衣類１００の構成部品（図示せず）に何れの適切な工程を通じて固定されてもよく、これは縫合、化学結合、接着剤および／または加熱結合を含むが、これらに限定されない。これに加えて、筐体１３０は装飾的アクセント（例えば、パターン印刷または色および／または固定された装飾的細部（例えば、レース、リボン、ビーズ、その他））を含んでいてもよい。
【００３４】
任意選択で、着用者１１０はサポート機能付きビュスチェ型衣類１００を、着用された時に正中線１１１と略整合するように筐体１３０内に位置付けられた前側開閉機構１２０等の開閉機個を介して着脱してもよい。これに加えて、またはこの代わりに、着用者１１０はサポート機能付きビュスチェ型衣類１００を、背側および／または側部開閉機構（図示せず）を介して、またはサポート機能付きビュスチェ型衣類１００を構成する１つまたはその他の材料の拡張および／または収縮を介して着脱してもよい。ここで、図１に示される開閉機構に戻ると、前側開閉機構１２０は２つの対応する部品を含んでいてもよく、これらは結合された時に着用者１１０の周囲でサポート機能付きビュスチェ型衣類１００を閉じる。同様に、前側開閉機構１２０の２つの対応する部品が分離されると、着用者１１０はサポート機能付きビュスチェ型衣類１００を脱ぐ、すなわち取り外すことができる。前側開閉機構１１０はサポート機能付きビュスチェ型衣類１００に何れの容認可能な工程で固定されてもよく、これは縫合、化学結合、接着剤、および／または加熱結合を含むが、これらに限定されない。ある場合には、前側開閉機構１２０はサポート機能付きビュスチェ型衣類１００の１つまたは複数の構成部品の延長部分であってもよい。
【００３５】
図２Ａは、例示的なサポート機能付きビュスチェ型衣類１００と、より詳しくは筐体１３０の背面図を示す。図２Ａの実施形態において、筐体１３０の背部は単独の連続する帯である。時として、これは柔軟および／または膨張性材料（例えば、スパンデックス、メッシュ、および／または伸縮素材）から作製されてもよい。筐体１３０の前部と背部は異なるおよび／または同じ材料から作製されてもよい。
【００３６】
図２Ｂは、例示的なサポート機能付きビュスチェ型衣類１００と、より詳しくは例示的な背側開閉機構２１０を持つ筐体１３０の背面図を示す。背側開閉機構２１０は、何れの適当な開閉機構（例えば、ホック、磁気、張力式、および／またはスナップ式開閉具）であってもよい。ある場合には、背側開閉機構２１０は拡張可能であってもよい。
【００３７】
図２Ｂの実施形態において、支持構造４１０および／または柔軟構造４２０が着用者１１０の側部１１５の周囲に延びる。このように延びることによって、支持構造４１０および／または柔軟構造４２０は、着用者１１０の乳房の重さの一部を着用者の側部１１５および／または背に伝えることによって着用者１１０の乳房の重さの一部支持することができる。
【００３８】
図３は、例示的な開閉拡張手段３１０を示す。開閉拡張手段３１０は、前側開閉機構１２０および／または背側開閉機構２１０の対応する部品間の距離を拡張することによって、サポート機能付きビュスチェ型衣類１００の大きさ、すなわち円周を増大させてもよい。開閉拡張手段３１０は、前側開閉機構１２０および／または背側開閉機構２１０の対応する部品と協働する（すなわち、その中に嵌る）ように構成されてもよい。
【００３９】
図４は、支持構造４１０と柔軟構造４２０とカップ６１０を含むサポート機能付きビュスチェ型衣類１００の例示的な構成部品を示している。支持構造４１０の大きさおよび／または形状は、図４に示されているように、１つまたは複数の設計／製造上の検討事項に応じて異なっていてもよい。例えば、支持構造４１０が乳房の重さのうち比較的大きい量を支持し、および／または位置変更するために使用される場合、支持構造４１０は図４に示される３つすべての種類を含んでいてもよい。言い換えれば、乳房の重さのうち比較的大きい量を支持する場合、支持構造４１０は乳房の重さのうち比較的小さい量を支持するために使用される支持構造４１０より大きくてもよい。支持構造４１０が乳房の重さのうち比較的小さい量を支持するために使用される場合、支持構造４１０は何れの延長部も含んでいなくてもよい（すなわち、外側延長部４５０は図５に示される一番右側の部分のみを含んでいてもよい）。支持され、および／または位置変更される乳房の重さの量がこの例の比較的大きい量と小さい量の間に当てはまる実施形態に関して、最も右側および中央部分のみを有する支持構造が使用されてもよい。
【００４０】
支持構造４１０は、例えば成形工程、穿孔工程、切削工程、および／または複合的工程を通じて、例えば単独の材料、複数の異なる材料の単独層または同じもしくは異なる材料の複数の層を使って製造されてもよい。ほとんどの場合において、支持構造４１０は丸みを帯びた、および／またはテーパの付いた縁部を有し、着用者１１０への不快感（例えば、皮膚への突き当り、擦過）または筐体１３０の表面から飛び出す延長部（例えば、塊または隆起）の原因とならないように製造され、および／またはサポート機能付きビュスチェ型衣類１００の中に設置されてもよい。支持構造４１０は何れの適当な材料から製造されてもよく、これには例えば発泡体、シリコン、プラスチック、ビニル、複合エラストマ樹脂、可塑化剛性ＰＶＣ化合物、ポリオリフィン網状化合物、ポリオレフィン系網状化合物、樹脂、単泡性樹脂、エチレンビニルアセテート（ＥＶＡ）材料、ゴム、発泡ゴム、および／またはそれらの何れかの組み合わせが含まれるが、これらに限定されない。
【００４１】
支持構造４１０は、着用者１１０の乳房の重さの一部を支持するように構成されてもよく、いくつかの例では、サポート機能付きビュスチェ型衣類１００の主要な構造的支持手段、すなわち骨格としての役割を果たしてもよい。支持構造４１０は、部分的または全体的に自耐性を有していてもよく、それによって着用されていない時でもそれはその形状を実質的に保持する。支持構造４１０の形状、構成および筐体１３０内への配置はこの支持の実現に貢献する。
【００４２】
しばしば、支持構造４１０は着用者１１０の乳房の形状に近似するように湾曲した帯状部４６０のような形状とされてもよい。帯状部４６０は、内側延長部４３０から中心点４４０を通って外側延長部４５０へと延びるような形状とされてもよい。このようにして、上から見たときに、支持構造４１０は「Ｃ」字形に似た形状を有していてもよい。これに加えて、支持構造４１０は、着用された時に着用者１１０の乳房の形状に適合するのに十分柔軟であるが、着用者１１０の乳房を整形し、支持するのに十分に剛性であってもよい。
【００４３】
図４に示される実施形態において、支持構造４１０は実質的に縦に配置された外側延長部４５０を有し、これは正中線１１１に略平行の（例えば正中線１１１から２０度以内）方向で着用者の乳房と近似する方向に、および／または着用者の胴体（すなわち、肋骨または胸部）に近似する方向に延びていてもよい。いくつかの実施形態において、外側延長部４５０は着用者１１０の側部１１５および／または背の周囲に延びてもよい。外側延長部４５０は、例えば着用者１１０の乳房の重さを着用者１１０の胸部および／または肋骨に分散させることによって、着用者１１０の乳房の外側を支持するような形状とされ、位置付けられてもよい。図１に示される外側延長部４５０は帯状部４６０の上下両方に延びているが、外側延長部４５０は帯状部４６０の上または下のみに延びていてもよいため、常にこれが当てはまるとは限らない。これに加えて、いくつかの実施形態において、外側延長部４５０は、着用された時に部分的に着用者１１０の乳房より下の位置に対応するような形状とされてもよい。
【００４４】
図４に示される実施形態において、支持構造４１０は縦に配置された内側延長部４３０を有し、これは正中線１１１に実質的に平行の（例えば正中線１１１から２０度以内）方向で着用者の乳房と近似する方向に、および／または着用者１１０の胴体（すなわち、胸骨）に近似する方向に延びていてもよい。内側延長部４３０は、例えば着用者１１０の乳房の重さを着用者１１０の胸部および／または肋骨に分散させることによって、着用者１１０の乳房の内側を支持するような形状とされ、位置付けられてもよい。図４に示される内側延長部４３０は帯状部４６０の上下両方に延びているが、内側延長部４５０は帯状部４６０の上および／または下に延びてもよいため、常にこれが当てはまるとは限らない。これに加えて、いくつかの実施形態において、内側延長部４３０は部分的に着用者１１０の乳房より下にフィットするような形状とされてもよい。ある場合には、内側延長部４３０は着用者１１０がサポート機能付きビュスチェ型衣類１００を着脱するために使用する前側開閉機構１２０等の前側開閉機構（図示せず）のための構造的支持手段としての役割を果たしてもよい。
【００４５】
前から見た時、支持構造４１０は何種類の形状を有していてもよく、これは例えば機能、重さ支持、および／または装飾面の考慮事項に依存してもよい。例えば、支持構造４１０の形状は、例えば着用者１１０が好むように、および／または活動の様々な種類（例えば、運動や、例えばストラップレスのイブニングドレスの場合のように着用者１１０の胸部の一部を露出する衣類を着る時）に関わる支持の必要性に応じて強い、または弱い支持を提供するために（例えば全体的な大きさまたは構成が）異なっていてもよい。
【００４６】
いくつかの実施形態において、支持構造４１０の形状は着用者１１０の乳房の大きさ（例えばカップサイズ）または体の大きさ（例えば胸囲または体重）に応じて異なっていてもよく、これによって比較的大きい乳房の着用者１１０により着用されるように設計された支持構造４１０は、比較的小さい乳房の着用者１１０のための支持構造４１０とは異なるように（例えば、全体的により大きく、帯状部４６０をより大きく、および／または内側／外側延長部４５０／４３０をより大きく）構成されてもよい。
【００４７】
これに加えて、支持構造４１０は、例えば機能、重さ支持、および／または装飾面の考慮事項に応じて、１種または複数の異なる材料から構成されてもよい。例えば、支持構造４１０の構成は、例えば着用者１１０が好むように、および／または活動の様々な種類に関わる支持の必要性に応じて強い、または弱い支持を提供するために（例えば全体的な大きさまたは構成が）異なっていてもよい。支持構造４１０により提供される支持の量は、例えば支持構造４１０を異なる剛性、柔軟性、厚さ、および／または展性を有する材料から構成することによって調節されてもよい。
【００４８】
さらに、支持構造４１０は、例えば機能、重さ支持、および／または装飾面の考慮事項に応じて筐体１３０内に配置されてもよい。例えば、支持構造４１０の配置は、例えば着用者１１０が好むように、および／または活動の様々な種類に関わる支持の必要性に応じて強い、または弱い支持を提供するために（例えばより高く、またはより低く）異なっていてもよい。これに加えて、またはこの代わりに、支持構造４１０は、着用者１１０の乳房の頂点、すなわち乳頭より下に配置されてもよい。このような配置は、サポート機能付きビュスチェ型衣類１００が着用された時に平滑な（すなわち、塊や隆起がない）外観に貢献しうる。支持構造４１０は、筐体４１０の中、または内面もしくは外面上にあってもよい。
【００４９】
筐体内の支持構造４１０の配置はまた、着用者１１０の乳房の大きさ（例えばカップサイズ）に応じて異なっていてもよく、これによって比較的大きい乳房の着用者１１０によって着用されるように設計された支持構造４１０は、比較的小さい乳房の着用者１１０のための支持構造４１０の位置とは異なるように位置付けられてもよい（例えば、支持構造４１０のうちのより大きい部分が着用者１１０の乳房の下面に設置されてもよい）。
【００５０】
いくつかの例において、支持構造４１０は柔軟構造４２０と協働して、着用者１１０の乳房の重さの一部を支持し、着用者１１０によって着用された時に確実で快適なフィット状態を提供してもよい。柔軟構造４２０は、着用者の乳房を整形する（例えば、乳房を持ち上げ、および／または分離する）ように構成されていてもよい。柔軟構造４２０は、支持構造４１０と同じく、何れの適当な材料から製造されてもよく、これは発泡体、シリコン、プラスチック、ビニル、複合エラストマ樹脂、可塑化剛性ＰＶＣ化合物、ポリオリフィン網状化合物、ポリオレフィン系網状化合物、樹脂、単泡性樹脂、エチレンビニルアセテート（ＥＶＡ）材料、ゴム、発泡ゴム、および／またはそれらの何れかの組み合わせを含むが、これらに限定されない。柔軟構造４２０は、例えば成形工程、穿孔工程、切削加工、および／または複合的工程を通じて、複数の異なる材料または同じ材料の輻輳の層を使って製造されてもよい。ほとんどの場合、柔軟構造４２０は、丸みを帯びた、および／またはテーパの付いた縁部を有し、着用者１１０にとっての不快（例えば、胸部の締め付けまたは皮膚の擦過）の原因とならないように製造され、および／またはサポート機能付きビュスチェ型衣類１００の中に設置されてもよい。
【００５１】
柔軟構造４２０は、支持構造４１０の上および／または下に延びてもよい。いくつかの例において、柔軟構造４２０は１つの部品であってもよく、そこに支持構造４１０が取り付けられ、および／または支持構造４１０は柔軟構造４２０の中に埋め込まれてもよい。柔軟構造４２０は何れの容認可能な工程を通じて支持構造４１０に固定されてもよく、これは例えば縫合、化学結合、接着剤、および／または加熱結合を含むが、これらに限定されない。支持構造４２０は筐体（図示せず）の中にあってもよく、いくつかの例においては、装飾的アクセント（例えば、パターン印刷または色および／または固定された装飾的細部）を含んでいてもよい。
【００５２】
柔軟構造４２０は、着用者１１０の体の動き（例えば、呼吸する、捻る、腕を動かす、腰を曲げる等）に伴って伸縮するように製造され、および／または構成されてもよい。柔軟構造４２０は何種類の形状を有していてもよく、これは例えば機能、重さ支持、および／または装飾面の考慮事項に依存してもよい。例えば、柔軟構造４２０の形状は、例えば着用者１１０が好むように、および／または活動の様々な種類に関わる支持の必要性に応じて強い、または弱い支持を提供するように（例えば全体的な大きさまたは構成が）異なっていてもよい。
【００５３】
柔軟構造４２０の形状はまた、着用者１１０の乳房の大きさ（例えばカップサイズ）または体の大きさ（例えば胸囲または体重）に応じて異なっていてもよく、これによって、比較的大きい乳房の着用者１１０によって着用されるように設計された柔軟構造４２０は、比較的小さい乳房の着用者１１０のための柔軟構造４２０とは異なるように（例えば、全体的により大きく）構成されてもよい。
【００５４】
これに加えて、柔軟構造４２０は、例えば機能、重量の支持、および／または装飾面の考慮事項に応じて１種または複数の種類の材料から構成されてもよい。例えば、柔軟構造４２０の構成は、例えば着用者１１０が好むように、および／または活動の様々な種類に関わる支持の必要性に応じて強い、または弱い支持を提供するように（例えば、全体的な大きさまたは構成が）異なっていてもよい。柔軟構造４２０により提供される支持の量は、柔軟構造４２０を異なる剛性、柔軟性、厚さ、および／または展性を有する材料から構成することによって調節されてもよい。
【００５５】
柔軟構造４２０の構成は、着用者１１０の乳房の大きさ（例えばカップサイズ）に応じて異なっていてもよく、これによって比較的大きい乳房の着用者１１０により着用されるように設計された柔軟構造４２０が、比較的小さい乳房の着用者１１０のための柔軟構造４２０とは異なるように（例えば、より強力、より剛性、より厚い材料および／または同じおよび／または異なる材料の複数の層を使って）構成されてもよい。
【００５６】
さらに、柔軟構造４２０は、筐体１３０内に、例えば機能、重さ支持、封じ込め、および／または装飾面の考慮事項を取り入れるように位置付けられてもよい。例えば、柔軟構造４２０の配置は、例えば着用者１１０が好むように、および／または活動の様々な種類に関わる支持の必要性に応じて強い、または弱い支持を提供するように（より高く、または低く）異なっていてもよい。
【００５７】
カップ６１０の大きさ、位置、形状および／または構成は、各種の関心事項（機能、構造、装飾および／または製造に関する）に依存していてもよい。しばしば、カップ６１０は布、発泡体、またはこれらの何れかの組み合わせから作製されてもよい。カップ６１０は、支持構造４１０および／または柔軟構造４２０の内面または外面に位置付けられてもよい。いくつかの実施形態において、カップ６１０は筐体１３０の内面の一部を構成してもよく、着用者１１０によって着用された時に、着用者１１０の乳房の表面に直接隣接してもよい。
【００５８】
カップ６１０は、内側延長部４３０の上部を外側延長部４５０の上部に接続してもよい。この接続はサポート機能付きビュスチェ型衣類１００のための構造を提供し、支持構造４１０と柔軟構造４２０が重さの一部を支持し、ボリュームの一部を着用者の乳房から位置変更するのを支援してもよい。
【００５９】
図５Ａと５Ｂは、サポート機能付きビュスチェ型衣類１００の例示的な構成を示す。例えば、５Ａは、２つの例示的な延長部５１０と５２０を示しており、これらは支持構造４１０によって提供される大きさおよび／または支持を増大させるように支持構造４１０に追加されてもよい。
【００６０】
図５Ｂは支持構造４１０を示しており、例示的な支持構造４１０の孔５５０と例示的な柔軟構造４２０の孔５６０を有する。孔５５０は何れの大きさまたはパターンであってもよく、また、支持構造４１０に沿った何れの位置に配置されてもよい。孔５６０は何れの大きさまたはパターンであってもよく、また、柔軟構造４２０に沿った何れの位置に配置されてもよい。孔５５０／５６０は、例えば着用者の皮膚表面と皮膚表面の外部の空気との間の気流を増大させる役割を果たしてもよく、このようにして、サポート機能付きビュスチェ型衣類１００の全体的な通気性を増大させ、着用者の皮膚表面からの水分および／または体熱を移動させてもよい。これに加えて、またはこの代わりに、孔５５０は、支持構造４１０および／またはサポート機能付きビュスチェ型衣類１００の柔軟性を増大させ、および／またはその重さを減少させる役割を果たしてもよい。
【００６１】
孔５５０／５６０は、切削、穿孔、および／または成形工程を通じて形成されてもよい。これに加えて、またはこの代わりに、支持構造４１０は、孔５５０が製造工程に固有であるような方法で製造されてもよい。さらに、いくつかの実施形態において、孔５５０は支持構造４１０の中に部分的にのみ入り込んでもよく、それによって支持構造４１０の一部（ほとんどの場合、より薄い部分であるが）が穿孔領域に残る。
【００６２】
図６Ａはサポート機能付きビュスチェ型衣類１００のいくつかの構成部品の正面図を示し、これは、支持構造４１０と、柔軟構造４２０と、カップ６１０と、を含む。
【００６３】
図６Ｂは、サポート機能付きビュスチェ型衣類１００のいくつかの構成部品の側面図を示し、これは支持構造４１０と、柔軟構造４２０と、カップ６１０と、を含む。図６Ｂからわかるように、外側延長部４５０は帯状部４６０の上下に、着用者１１０の側部１１５と実質的に平行に延びる。この例における実質的に平行とは、正中線からプラスマイナス２０度で着用者１１０の肩から臀部まで延びる。時として、外側延長部４５０は着用者１１０の乳房の外側曲線の形状に近似するような形状とされてもよい。ある場合には、外側延長部４５０は着用者１００に固有の寸法仕様を使って製造されてもよい。他の場合には、外側延長部４５０は１つまたは複数の特徴（例えば、カップサイズ、体重、胸囲、その他）を共有する着用者１００のグループについて一般化された寸法仕様を使って製造されてもよい。
【００６４】
図７Ａは、支持構造４１０と、柔軟構造４２０と、を含むサポート機能付きビュスチェ型衣類１００のいくつかの構成部品と、支持構造４１０と柔軟構造４２０が着用者１１０の乳房にかける上方の力の側面図を示す。着用者１１０の乳房は重さ、すなわち下垂力ＷＢを有する。サポート機能付きビュスチェ型衣類１００の支持構造４１０および／または柔軟構造４２０は、着用者１１０によって着用された時にＷＢまたはその一部に対抗する上方への力Ｆｓｕおよび／またはＦｆｕをかける。ほとんどの場合、サポート機能付きビュスチェ型衣類１００の支持構造４１０および／または柔軟構造４２０は筐体１３０（図示せず）とは独立して力Ｆｓｕおよび／またはＦｆｕをかけることに留意することが重要である。いくつかの実施形態において、支持構造４１０および／または柔軟構造４２０は棚状部を形成してもよく、その上に乳房の重さＷＢまたはその一部が載り、これが乳房の重さを上方に支持する。ある場合には、力Ｆｓｕおよび／またはＦｆはまた、着用者１１０の乳房のボリュームの一部を位置変更するように作用してもよい。このような位置変更には、乳房のボリュームの一部を正中線に向かって押し上げることを含んでもよく、着用者１１０の乳房により均一な丸みのある外観を提供してもよい。
【００６５】
いくつかの例において、サポート機能付きビュスチェ型衣類１００の延長下側部８１０が図８に示されるように、着用者１１０の胸部の下方に延びていてもよい。延長下側部８１０は、例えば筐体１３０および／または柔軟構造４２０から作製されてもよい。いくつかの例において、延長下側部８１０は、支持構造４１０（図示せず）と同様の追加の支持構造を含んでいてもよい。これらの追加の支持構造は縦および／または水平の向きであってもよく、また、着用者１１０の乳房の重さを支持し、および／または胴体を整形する役割を果たしてもよい。
【００６６】
図７ＡＢは、支持構造４１０と、柔軟構造４２０と、を含むサポート機能付きビュスチェ型衣類１００のいくつかの構成部品と、支持構造４１０と柔軟構造４２０が着用者１１０の乳房に、着用者１１０の胴体の内側に向かって、および着用者１１０の胴体の外側に向かってかける力の側面図を示す。着用者１１０の乳房のボリュームの一部は、それが胴体から外側に延びる時に外側への力ＦＢＯと乳房の圧縮に抵抗する力ＦＢＩをかける。
【００６７】
サポート機能付きビュスチェ型衣類１００の支持構造４１０および／または柔軟構造４２０は、ＦＢＩと対向する外側への力Ｆｓｏおよび／またはＦｆｏをかけて、乳房のボリュームの一部を着用者１１０の胴体から外側へと位置変更する。サポート機能付きビュスチェ型衣類１００の支持構造４１０および／または柔軟構造４２０はまた、ＦＢＯに対向する内側への力ＦｓＩおよび／またはＦＦＩをかけて、乳房のボリュームの一部を着用者１１０の胴体に向かって内側に位置変更する。
【００６８】
ほとんどの場合、サポート機能付きビュスチェ型衣類１００の支持構造４１０および／または柔軟構造４２０は筐体１３０（図示せず）とは独立して力Ｆｓｏ、Ｆｆｏ、Ｆｆｉおよび／またはＦｆｉをかける点に留意することが重要である。
【００６９】
いくつかの例において、サポート機能付きビュスチェ型衣類１００の延長下側部８１０または８１５が、それぞれ図８Ａと８Ｂに示されるように、着用者１１０の胸部の下方に延びていてもよい。延長下側部８１０および／または８１５は、例えば筐体１３０および／または柔軟構造４２０から作製されてもよい。いくつかの例において、延長下側部８１０および／または８１５は、支持構造４１０（図示せず）と同様の追加の支持構造を含んでいてもよい。これらの追加の支持構造は縦および／または水平の向きであってもよく、また、着用者１１０の乳房の重さを支持し、および／または胴体を整形する役割を果たしてもよい。
【００７０】
図９は体型サポート用衣類９００を示しており、これはサポート機能付きビュスチェ型衣類１００のほか、任意選択による胴体サポート用衣類９１０Ａ、９１０Ｂ、９１０Ｃを含む。胴体サポート用衣類９１０Ａ、９１０Ｂ、９１０Ｃは、サポート機能付きビュスチェ型衣類１００から延び、および／またはそこに取り付けられてもよく、胴体サポート用衣類９１０Ａが着用者１１０の乳房から略着用者１１０の腰の位置まで延び、胴体サポート用衣類９１０Ｂが略着用者１１０の腰の位置から略着用者１１０の臀部の位置まで延び、胴体サポート用衣類９１０Ｂが略着用者１１０の臀部の位置から略着用者１１０の太ももの位置まで延びるように長さが可変であってもよい。いくつかの実施形態において、体型サポート用衣類９００は、着用者１１０の自由な運動を可能にしうるギャップまたはその他の特徴（図示せず）を含んでいてもよい。
【００７１】
体型サポート用衣類９００は、サポート機能付きビュスチェ型衣類１００と胴体サポート用衣類９１０Ａ、サポート機能付きビュスチェ型衣類１００および胴体サポート用衣類９１０Ａと９１０Ｂ、サポート機能付きビュスチェ型衣類１００および胴体サポート用衣類９１０Ａ、９１０Ｂ、９１０Ｃを含むように構成されてもよい。いくつかの例において、サポート機能付きビュスチェ型衣類１００と胴体サポート用衣類９１０Ａ、９１０Ｂ、９１０Ｃは取り外し可能であり、および／または別々に販売されて着用者１１０によって組み立てられてから着用されてもよい。着用者１１０は、サポート機能付きビュスチェ型衣類１００と胴体サポート用衣類９１０Ａ、９１０Ｂ、および／または９１０Ｃを、例えば前側および／または背側開閉機構（図示せず）、例えば前側および／または背側開閉機構１２０または２１０を介して着脱してもよい。
【００７２】
胴体サポート用衣類９１０Ａ、９１０Ｂ、および／または９１０Ｃは、１つまたは複数の胴体支持構造９２０を含んでいてもよく、これは支持構造４１０および／または柔軟構造４２０の製造に使用される材料と同様の材料で構成されてもよい。胴体支持構造９２０は、着用者１１０の胴体またはその一部を支持し、および／または整形するように位置付けられてもよい。このような支持は多くの考慮事項のために提供されてもよく、これには物理的および／または構造的支持または胴体、着用者１１０が望む形状への胴体の整形（例えば、腰の位置での胴体の円周を胸部および／または臀部より狭くする）、または衣類への装飾的アクセントが含まれるが、これらに限定されない。いくつかの実施形態において、胴体サポート用衣類９１０Ａ、９１０Ｂ、９１０Ｃの１つまたは複数は、水着、スリップ、および／または衣服に組み込まれてもよい。
【００７３】
図１０Ａと１０Ｂは、それぞれサポート機能付きビュスチェ型衣類１００のための任意選択による装飾物または追加物の正面および背面図を示す。例示的な装飾物は、キャミソールアタッチメント１０３０およびストラップアタッチメント１０１０Ａと１０１０Ｂを含み、これらは取付機構１０２０、例えば磁石、スナップ、張力式開閉具および／またはホックを介してサポート機能付きビュスチェ型衣類１００に取り外し可能に、またはそれ以外に取り付けられてもよい。これに加えて、またはこの代わりに、キャミソールアタッチメント１０３０および／またはストラップアタッチメント１０１０Ａと１０１０Ｂは、縫合、接着剤またはボンディングによって取り付けられてもよい。
【００７４】
ストラップアタッチメント１０１０Ａと１０１０Ｂは装飾的および／または機能的（例えば、サポート機能付きビュスチェ型衣類１００を持ち上げて支持する）役割を果たしてもよく、また、着用者の好みに応じて付け替えられてもよい。ストラップアタッチメント１０１０Ａと１０１０Ｂは様々な材料、例えば布、伸縮材、リボン、レース、シリコン、および／またはそれらの何れかの組み合わせから製造されてもよい。
【００７５】
キャミソールアタッチメント１０３０は装飾的および／または機能的（例えば、着用者１１０の胴体および／またはサポート機能付きビュスチェ型衣類１００を覆う）役割を果たしてもよく、また、着用者の好みに応じて付け替えられてもよい。キャミソールアタッチメント１０３０は、布やレザー等、様々な材料から製造されてもよい。
【００７６】
サポート機能付きビュスチェ型衣類１００のためのその他の装飾物および／または実施形態にはスリップおよび水着が含まれる。水着はビキニまたはワンピースの水着を含んでいてもよい。
【００７７】
したがって、本明細書では、着用者によって着用された時に、着用者のそれぞれの乳房のボリュームの一部を位置変更し、着用者のそれぞれの乳房の重さの一部を支持するサポート機能付きビュスチェ型衣類について説明した。
【図１】
2016508550.tif 000003
【図２Ａ】
2016508550.tif 000004
【図２Ｂ】
2016508550.tif 000005
【図３】
2016508550.tif 000006
【図４】
2016508550.tif 000007
【図５Ａ】
2016508550.tif 000008
【図５Ｂ】
2016508550.tif 000009
【図６Ａ】
2016508550.tif 000010
【図６Ｂ】
2016508550.tif 000011
【図７Ａ】
2016508550.tif 000012
【図７Ｂ】
2016508550.tif 000013
【図８Ａ】
2016508550.tif 000014
【図８Ｂ】
2016508550.tif 000015
【図９】
2016508550.tif 000016
【図１０Ａ】
2016508550.tif 000017
【図１０Ｂ】
2016508550.tif 000018
【国際調査報告】
2016508550.tif 000019